(57)【要約】【課題】白髪を少量だけ選択して滑動式カット構造により除去することにより、毛根又は毛嚢を傷つけない上、周囲の黒髪を保護するヘアーカッターを提供する。【解決手段】ヘアーカッター１０は、刃部２０及びベース部３０を備える。ベース部３０は、頭髪を挿通させる円孔３２を有する。刃部２０がベース部３０に沿って摺動すると、円孔３２に挿通された頭髪がカットされる。ベース部３０の孔壁に隣接した箇所には、４５〜９０°の剪断角が形成される。刃部２０が接触される側のベース部３０の円孔３２の口径は、反対側に形成された円孔３２の口径に等しいか口径より小さい。刃部２０は、弾性部５０に形成される。弾性部５０は、ベース部３０に接続され、刃部２０を円孔３２に向かって移動させるのに必要な作用力を付与する。弾性部５０が弧状に形成される。弾性部５０とベース部３０との間には、湾曲した接続部４０が形成される。【選択図】図１
0003190748.tif 000002
【実用新案登録請求の範囲】
【請求項１】
刃部及びベース部を備えたヘアーカッターであって、
前記ベース部は、頭髪を挿通させる円孔を有し、
前記刃部が前記ベース部に沿って摺動すると、前記円孔に挿通された頭髪がカットされることを特徴とするヘアーカッター。
【請求項２】
前記ベース部の孔壁に隣接した箇所には、４５〜９０°の剪断角が形成され、
前記刃部が接触される側の前記ベース部の前記円孔の口径は、反対側に形成された円孔の口径に等しいか口径より小さいことを特徴とする請求項１に記載のヘアーカッター。
【請求項３】
前記刃部は、弾性部に形成され、
前記弾性部は、前記ベース部に接続され、前記刃部を前記円孔に向かって移動させるのに必要な作用力を付与することを特徴とする請求項１に記載のヘアーカッター。
【請求項４】
弾性部が弧状に形成され、
前記弾性部と前記ベース部との間には、湾曲した接続部が形成され、
前記弾性部が押下の力を受けると、前記刃部が前記円孔に向かって摺動し、
前記弾性部が原状に回復すると、前記刃部が前記ベース部に沿って移動して元の位置に戻ることを特徴とする請求項２に記載のヘアーカッター。
【請求項５】
前記刃部と前記ベース部とにより０〜３０°の夾角が形成され、
前記刃部の刃先が前記ベース部に接触されることを特徴とする請求項１、２、３又は４に記載のヘアーカッター。
【請求項６】
前記ベース部は、縁部から前記円孔の孔壁にかけて形成された切欠きを有することを特徴とする請求項１、２、３又は４に記載のヘアーカッター。
【請求項７】
前記ベース部は、前記刃部を前記ベース部に接触させながら往復運動させる限定構造を有することを特徴とする請求項１、２、３又は４に記載のヘアーカッター。
【請求項８】
前記限定構造は、前記ベース部の両側に形成された２つの側翼を含み、
前記側翼は互いに対向するように湾曲し、前記刃部を通過させる空間が形成されていることを特徴とする請求項７に記載のヘアーカッター。
【請求項９】
前記限定構造は、前記刃部に形成された長孔と、前記ベース部に延設されて前記長孔に一部が挿通された締付け具と、を含み、
前記締付け具のヘッド部の直径が前記長孔の短幅より大きく、前記刃部が前記ベース部に接触しながら往復移動することを特徴とする請求項７に記載のヘアーカッター。
【考案の詳細な説明】
【技術分野】
【０００１】
本考案は、頭髪を切る分野に関し、特に、少量の頭髪をカットするヘアーカッターに関する。
【背景技術】
【０００２】
白髪が生えることは老化現象の一つであり、印象を良くするために、抜いたりカットしたりして目障りな白髪を除去することが一般的である。
【０００３】
しかし白髪を直接抜いた場合、毛嚢が半永久的に傷つき、新たな髪が生える機会が減る上、周囲の健康な毛嚢も悪影響を受けて髪質が悪くなる虞があった。
【０００４】
髪のカットには、最も簡単に入手することが可能なツールとしてハサミがある。但し、ハサミの刃が開く角度は、カット可能な範囲と直接関係するため、白髪を１、２本だけカットする場合でも、周囲の黒髪を一緒にカットしてしまうことがあり、ユーザにとって不便である。
【０００５】
そのため、近くの黒髪を傷つけずに白髪を切ることができるヘアーカッターが求められていた。
【考案の概要】
【考案が解決しようとする課題】
【０００６】
本考案は、白髪を少量だけ選択して滑動式カット構造により除去することにより、毛根又は毛嚢を傷つけず、周囲の黒髪を避けて頭髪を保護するヘアーカッターを提供することを課題とする。
【課題を解決するための手段】
【０００７】
上記課題を解決するために、本考案の第１の形態によれば、刃部及びベース部を備えたヘアーカッターであって、前記ベース部は、頭髪を挿通させる円孔を有し、前記刃部が前記ベース部に沿って摺動すると、前記円孔に挿通された頭髪がカットされることを特徴とするヘアーカッターが提供される。
【０００８】
前記ベース部の孔壁に隣接した箇所には、４５〜９０°の剪断角が形成され、前記刃部が接触される側の前記ベース部の前記円孔の口径は、反対側に形成された円孔の口径に等しいか口径より小さいことが好ましい。
【０００９】
前記刃部は、弾性部に形成され、前記弾性部は、前記ベース部に接続され、前記刃部を前記円孔に向かって移動させるのに必要な作用力を付与することが好ましい。
【００１０】
弾性部が弧状に形成され、前記弾性部と前記ベース部との間には、湾曲した接続部が形成され、前記弾性部が押下の力を受けると、前記刃部が前記円孔に向かって摺動し、前記弾性部が原状に回復すると、前記刃部が前記ベース部に沿って移動して元の位置に戻ることが好ましい。
【００１１】
前記刃部と前記ベース部とにより０〜３０°の夾角が形成され、前記刃部の刃先が前記ベース部に接触されることが好ましい。
【００１２】
前記ベース部は、縁部から前記円孔の孔壁にかけて形成された切欠きを有することが好ましい。
【００１３】
前記ベース部は、前記刃部を前記ベース部に接触させながら往復運動させる限定構造を有することが好ましい。
【００１４】
前記限定構造は、前記ベース部の両側に形成された２つの側翼を含み、前記側翼は互いに対向するように湾曲し、前記刃部を通過させる空間が形成されていることが好ましい。
【００１５】
前記限定構造は、前記刃部に形成された長孔と、前記ベース部に延設されて前記長孔に一部が挿通された締付け具と、を含み、前記締付け具のヘッド部の直径が前記長孔の短幅より大きく、前記刃部が前記ベース部に接触しながら往復移動することが好ましい。
【考案の効果】
【００１６】
本考案のヘアーカッターは、周囲に黒髪を避けながら、少量の白髪をベース部の円孔に挿通させ、ユーザが弾性部を押下すると、刃部がベース部に沿って所定距離摺動し、円孔に挿通された白髪がカットされる。カットする際、黒髪をベース部の円孔に挿通しない限り、間違って黒髪をカットしてしまうことがないため、毛根又は毛嚢を傷つけずに髪を保護することができる。
【図面の簡単な説明】
【００１７】
【図１】図１は、本考案の第１実施形態に係るヘアーカッターを示す斜視図である。
【図２】図２は、本考案の第１実施形態に係るヘアーカッターを示す動作図である。
【図３】図３は、本考案の第１実施形態に係るヘアーカッターを示す動作図である。
【図４】図４は、本考案の第２実施形態に係るヘアーカッターを示す斜視図である。
【図５】図５は、本考案の第３実施形態に係るヘアーカッターを示す斜視図である。
【図６】図６は、本考案の第４実施形態に係るヘアーカッターを示す斜視図である。
【図７】図７は、図６のヘアーカッターを示す部分断面図である。
【考案を実施するための形態】
【００１８】
以下、本考案のヘアーカッターの実施形態について、図面を参照しながら説明する。
【００１９】
（第１実施形態）
図１を参照する。図１に示すように、本考案の第１実施形態に係るヘアーカッター１０は、１つの長尺状片体が折り曲げられて形成された刃部２０及びベース部３０を含む。
【００２０】
ベース部３０には、刃部２０に隣接した箇所に円孔３２が形成され、ベース部３０は、円孔３２が形成された箇所とは反対側の端部で、ヘアーカッター１０の湾曲部位と接続され、この湾曲部位は接続部４０に形成される。
【００２１】
接続部４０の他端と刃部２０との間には、弾性部５０が形成される。弾性部５０は、弧状に形成されてベース部３０の上方に位置するため、円孔３２の壁面を覆うことがないように、ベース部３０の円孔３２の隣接した箇所に刃部２０を保持する。
【００２２】
続いて、図２及び図３を参照する。図２及び図３に示すように、ヘアーカッター１０をユーザの頭髪に近づけ、ベース部３０の円孔３２へ１本の白髪６０を挿通させる。押下させる外力６４を弾性部５０に付与する期間中、弾性部５０が変形してベース部３０に近づくと、刃部２０が円孔３２に向かって押されて摺動可能範囲で摺動する。外力６４が加えられなくなると、弾性部５０自身が有する弾性回復力により原状に回復し、刃部２０がベース部３０に沿って移動し、元の位置に戻る。
【００２３】
刃部２０の変位量と弾性部５０の変形量とは正比例の関係にあり、刃部２０がベース部３０の長手方向で移動し、円孔３２の壁面を刃先２２が通過すると、円孔３２に挿通された白髪６０がカットされる。
【００２４】
カットする期間中、ベース部３０に接触する刃先２２を基準とし、刃部２０とベース部３０との間に夾角２４を形成し、刃部２０自身が有する剛性に応じて０〜３０°の範囲で変化する。白髪６０の周囲の黒髪６２は円孔３２に挿通されないため、刃部２０とベース部３０との組み合わせにより、円孔３２に挿通させた白髪６０をカットすることができる。そのため、黒髪６２を誤ってカットすることがない上、毛根又は毛嚢を傷つけずに髪を保護することができる。
【００２５】
ここで、ベース部３０の円孔３２の壁面により形成される形状は円筒状又は円錐状であり、ベース部３０に隣接した孔壁には、剪断角３６が形成される。この剪断角３６は４５〜９０°であるため、刃部２０が接触される側（表面側）のベース部３０の円孔３２の口径は、反対側（底面側）に形成された円孔３２の口径に等しいか口径より小さい。そのため、刃先２２と、ベース部３０に形成された円孔３２の壁面とを組み合わせることにより、円孔３２に挿通された白髪６０を効果的にカットすることができる。
【００２６】
上述の説明に基づき、変形例を説明する。以下、必要に応じて図面を参照しながら、関連構造の特徴について述べる。
【００２７】
（第２実施形態）
図４を参照する。図４に示すように、本考案の第２実施形態に係るヘアーカッター１０は、第１実施形態と異なり、ベース部３０の縁部から円孔３２の壁面にかけて切欠き３４が形成されている。
【００２８】
実際に使用する際、白髪をベース部３０の円孔３２へ直接挿通させるか、切欠き３４を介して円孔３２へ白髪を挿通させる。そのため、第２実施形態に係るヘアーカッター１０は、第１実施形態より応用範囲が広い。
【００２９】
また、刃部をベース部に接触させながら往復移動させる制限構造をベース部に設けてもよい。
【００３０】
（第３実施形態）
図５を参照する。図５に示すように、本考案の第３実施形態に係るヘアーカッター１０の限定構造７０は、２つの側翼７２を含む。各側翼７２は、互いに対向するようにベース部３０の側辺に形成される。これら複数の側翼７２は、刃部２０が通過することができる空間が形成されるように互いに対向して湾曲されている。そのため、刃部２０は、側翼７２により外方へ変位移動することを防ぎ、ベース部３０に沿うように円孔３２に向けて直線状に変位移動する。
【００３１】
（第４実施形態）
図６及び図７を参照する。図６及び図７に示すように、本考案の第４実施形態に係る限定構造７０は、刃部２０に形成された長孔７６と、ベース部３０に延設されて長孔７６に一部が挿通される締付け具７４と、を含む。
【００３２】
本考案の第４実施形態の締付け具７４は、リベットであり、ヘッド部の直径が長孔７６の短幅より大きく、刃部２０がベース部３０に接触しながら往復移動する。勿論、リベットの代わりにブラインドリベット、ねじを締付け具７４に使用しても良く、これも本考案の範囲内に含まれる。
【００３３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１０  ヘアーカッター
２０  刃部
２２  刃先
２４  夾角
３０  ベース部
３２  円孔
３４  切欠き
３６  剪断角
４０  接続部
５０  弾性部
６０  白髪
６２  黒髪
６４  外力
７０  限定構造
７２  側翼
７４  締付け具
７６  長孔
【図１】
0003190748.tif 000003
【図２】
0003190748.tif 000004
【図３】
0003190748.tif 000005
【図４】
0003190748.tif 000006
【図５】
0003190748.tif 000007
【図６】
0003190748.tif 000008
【図７】
0003190748.tif 000009